(57)【要約】
【課題】注ぎ口から中を覗いたり実際に持ち上げたりしなくとも液体が入っているかどうかが分かり、かつ正確にその残量を把握することができる液体用容器を提供すること。
【解決手段】本体９上部に運搬用の取っ手１０が形成されるとともに、同本体９側面寄りに内部と連通する少なくとも１つの口部１３が形成された遮光性プラスチックによって一体成形された液体用容器１において、前記本体９側面であって前記口部１３基部から底壁部３の前方寄りにかけて同本体９側面を縦断する半透明の表示窓１８を本体９を構成する遮光性プラスチックと一体成形により形成した。これによって注ぎ口１３から中を覗いたり実際に持ち上げたりしなくとも容器１内部の液体量を正確に把握することが可能となる。
【選択図】        図１
0003101188.tif 000002
【実用新案登録請求の範囲】
【請求項１】
本体上部に運搬用の取っ手が形成されるとともに、同本体側面寄りに内部と連通する少なくとも１つの口部が形成された遮光性プラスチックによって一体成形された液体用容器において、
前記本体側面であって前記口部の下方位置に同本体側面を縦断する透明又は半透明の透視窓部を同本体を構成する遮光性プラスチックと一体成形により形成したことを特徴とする液体用容器。
【請求項２】
前記透視窓部は前記口部基部から前記本体側面を縦断して本体底面に及ぶことを特徴とする請求項１に記載の液体用容器。
【考案の詳細な説明】
【技術分野】
【０００１】
本考案は灯油や水等の液体を収容して保管するための液体用容器に関するものである。
【背景技術】
【０００２】
従来から灯油や水等の液体を収容して保管するために遮光プラスチックからなる液体用容器（いわゆるポリタンク）が広く使用されている。この液体用容器は主として紫外線による内部の液体の劣化を防止するために不透明とされているわけである。
しかし、液体用容器はこのように遮光されているため内部の液体量が目視できず、どの程度の内容量なのか注ぎ口から中を覗いたり、実際に持ってみてその重さでおおよそを推測するしかなかった。
【考案の開示】
【考案が解決しようとする課題】
【０００３】
しかし、例えば大型タンクからこの液体用容器にポンプで灯油を移し替える場合には刻々と変化する内容量を時々ポンプを停めて上記のような手段で判断しなければならず、作業効率が極めて悪かった。また、注ぎ口から中を覗いても通常片目で覗き込むこととなり、立体視ができないためどの程度の高さまで注油されたかは分かりにくかった。また、実際に持ち上げて重量で判断するといっても液体によって比重が違うため重さで容量を正確に把握するのは熟練が必要である。
また、液体が既に収容されているかどうかといったことは、注ぎ口に蓋がしてあれば覗き込むことはできず、外観からは空かどうかは分からず常に持ち上げてみなければならなかった。
本考案は、このような従来の技術に存在する問題点に着目してなされたものである。その目的とするところは、注ぎ口から中を覗いたり実際に持ち上げたりしなくとも液体が入っているかどうかが分かり、かつ正確にその残量を把握することができる液体用容器を提供することにある。
【課題を解決するための手段】
【０００４】
上記の目的を達成するために請求項１に記載の考案では、本体上部に運搬用の取っ手が形成されるとともに、同本体側面寄りに内部と連通する少なくとも１つの口部が形成された遮光性プラスチックによって一体成形された液体用容器において、前記本体側面であって前記口部の下方位置に同本体側面を縦断する透明又は半透明の透視窓部を同本体を構成する遮光性プラスチックと一体成形により形成したことをその要旨とする。
また、請求項２の考案では請求項１に記載の考案の構成に加え、前記透視窓部は前記口部基部から前記本体側面を縦断して本体底面に及ぶようにしたことをその要旨とする。
【０００５】
このような構成では、液体用容器は遮光性プラスチック製であるため、内部の液体の劣化が生じないとともに、口部の下方位置に同本体側面を縦断する透明又は半透明の透視窓部があるため、口部方向から目視した場合に容器内の残存量が透視窓部を通して実見することが可能となる。この透視窓部はプラスチックであって本体部分の遮光性プラスチックと一体成形されるため継ぎ目から液体が漏れることもなく、製造コストも従来の透視窓部のないものと大きく変わることはない。特に、透視窓部は前記口部基部から前記本体側面を縦断して本体底面に及ぶことが好ましい。
【考案の効果】
【０００６】
上記各請求項の考案では、液体容器を口部方向の側面から目視した場合に透視窓部を通して残存量を実見することができるため、注ぎ口から中を覗いたり実際に持ち上げたりしなくとも容器内部の液体量を正確に把握することが可能である。
【考案を実施するための最良の形態】
【０００７】
以下、本考案の液体用容器を具体化した実施の形態を図面に基づいて説明する。
液体用容器１は着色された遮光性のプラスチック（ポリエチレン）から構成されている。図１及び図２に示すように、液体用容器１は天井壁部２、底壁部３、左右壁部４，５と前後壁部６，７とからなる本体９を備え、内部に外界と遮断された内部空間Ｅが形成されている。各壁部２〜７の接合部は滑らかな曲面として連結され、いわゆるＲ（アール）が付けられている状態となっている。
天井部２の中央位置には運搬用の取っ手１０が天井部２と一体的に形成されている。取っ手１０の前方部は斜めに切り欠かれた切り欠き面１１が形成されている。取っ手１０を挟んで前後に口部としての注ぎ口１３，１４が形成されている。両注ぎ口１３，１４は唯一外界と内部空間Ｅとを連通する通路を形成し、水、灯油等の液体は両注ぎ口１３，１４から出入りすることとなる。両注ぎ口１３，１４から外方にはフランジ１５が突出形成されている。フランジ１５には雄ねじ１６が形成されており、内面に雌ねじ（図示せず）が形成されたキャップ１７が同フランジ１５に装着されるようになっている。
【０００８】
前方側（図１における手前側）の注ぎ口１３の基部から下方に向かって細長い直線状の表示窓１８が形成されている。表示窓１８は半透明のプラスチック（ポリエチレン）から構成されており、外部から表示窓１８を介して内部空間Ｅを目視することが可能となっている。表示窓１８は注ぎ口１３の基部から切り欠き面１１及び前壁部６にかけて延出され、底壁部３の前方寄りまで至っている。
液体用容器１はブロー成形によって成形されており、表示窓１８を構成する半透明のプラスチックは本体９を構成する遮光性のプラスチックといわゆる二種のプラスチックを同時に成形する二色成形によって一体的に成形されている。
【０００９】
このように構成することで液体用容器１は次のような効果を奏する。
（１）わざわざキャップ１７を開けなくとも表示窓１８から残量が見えるし、液体用容器１にポンプ等で液体を注入する際においては刻々と増していく液量を正確に目視できるため作業の効率アップが期待できる。
（２）表示窓１８は注ぎ口１３の真下にあるのでポンプを使って液体を注ぐときに注ぎながら注入量をチェックするのが容易である。
（３）表示窓１８は注ぎ口１３の基部まで至っているため、こぼれないぎりぎりまで目視して液体を注入することができる。また、液量が少ない場合であって特に透明な液体では注ぎ口１３から目視しても液体がどの程度残っているかなかなかわからないのであるが、表示窓１８が底壁部３の前方寄りまで至っている（つまり底まで見える）ためわずかな量であっても確実に残量を目視することができる。
（４）表示窓１８を構成する半透明のプラスチックは本体９を構成する遮光性のプラスチックと一体的に成形できるため、境界部分から液体が漏れるというような不具合が生じることはなく、一体的に成形できることから従来製品に比較してコストアップを抑えることが可能となる。
【００１０】
尚、この考案は、次のように変更して具体化することも可能である。
・液体用容器１の形状は上記実施の形態に限定されるものではない。色や大きさも自由である。
・表示窓１８は注ぎ口１３の真下に形成したが、その他の位置に追加形成しても構わない。
・上記実施の形態では表示窓１８は半透明であったが透明であっても構わない。
・その他、プラスチックの材質は不問である等本考案の趣旨を逸脱しない態様で実施することは自由である。
【図面の簡単な説明】
【００１１】
【図１】本考案の実施の形態の液体用容器の斜視図。
【図２】同じ液体用容器の一部省略横断面図。
【符号の説明】
【００１２】
１…液体用容器、９…本体、１３…口部としての注ぎ口、１８…透視窓部としての表示窓。
【図１】
0003101188.tif 000003
【図２】
0003101188.tif 000004